(57)【要約】【課題】方向キーと決定キーを小型化しても、誤操作を防いで視覚的にも違和感のないスイッチ装置を提供する。【解決手段】上下左右に配置される四つの方向キー２・３・４・５と、これら四つの方向キー２・３・４・５で囲まれる範囲内に配置される決定キー６と、を備えるスイッチ装置であって、決定キー６は、上下の方向キー２・３を結ぶ線と左右の方向キー４・５を結ぶ線の何れか一方の線上のみに位置する。例えば、決定キー６を、左右の方向キー４・５を結ぶ線に対し上方に変位させて配置する。【選択図】図１
2012155915.tif 000002
【特許請求の範囲】
【請求項１】
上下左右に配置される四つの方向キーと、これら四つの方向キーで囲まれる範囲内に配置される決定キーと、を備えるスイッチ装置であって、
前記決定キーは、前記上下の方向キーを結ぶ線と前記左右の方向キーを結ぶ線の何れか一方の線上のみに位置することを特徴とするスイッチ装置。
【請求項２】
前記決定キーを、前記左右の方向キーを結ぶ線に対し上下の何れか一方に変位させて配置したことを特徴とする請求項１に記載のスイッチ装置。
【請求項３】
前記上下の方向キーのうち前記決定キーに近い方の方向キーを、前記決定キーと異形状に形成したことを特徴とする請求項２に記載のスイッチ装置。
【請求項４】
前記決定キーの位置が機械的に移動可能であることを特徴とする請求項１から３のいずれか一項に記載のスイッチ装置。
【請求項５】
前記方向キーと前記決定キーの位置及び機能の割付けが電気的に変更可能であることを特徴とする請求項１から３のいずれか一項に記載のスイッチ装置。
【発明の詳細な説明】
【技術分野】
【０００１】
本発明は、上下左右四つの方向キーと、その中の決定キーと、を備えるスイッチ装置に関する。
【背景技術】
【０００２】
テレビ等のリモコン、デジタルカメラ、携帯電話機等の操作キーや、キーボードにおいて、上下左右四つの方向キーの中央に決定キーが配置されている（例えば特許文献１〜４参照）。
【先行技術文献】
【特許文献】
【０００３】
【特許文献１】特開平１０−４２２２０号公報
【特許文献２】特開平１１−３１７８９９号公報
【特許文献３】特開２００３−２１９０６２号公報
【特許文献４】特開２００４−１３３７６号公報
【発明の概要】
【発明が解決しようとする課題】
【０００４】
デジタルカメラや携帯電話において、画面の大型化に伴い、キーのエリアを広く取れず、キーが小型化し、操作性が悪化している。
特に、方向キーと決定キーは狭い場所に五つのキーを配置するため、操作性の悪化が顕著となる。例えば横幅を小さくした場合、左右の方向キーの間に決定キーが狭い範囲で並ぶため、指が隣のキーに触れてしまう恐れがある。
【０００５】
本発明の課題は、方向キーと決定キーを小型化しても、誤操作を防いで視覚的にも違和感のないスイッチ装置を提供することである。
【課題を解決するための手段】
【０００６】
以上の課題を解決するため、本発明は、上下左右に配置される四つの方向キーと、これら四つの方向キーで囲まれる範囲内に配置される決定キーと、を備えるスイッチ装置であって、前記決定キーは、前記上下の方向キーを結ぶ線と前記左右の方向キーを結ぶ線の何れか一方の線上のみに位置することを特徴とする。
【発明の効果】
【０００７】
本発明によれば、方向キーと決定キーを小型化しても、誤操作を防いで視覚的にも違和感のないスイッチ装置を提供することができる。
【図面の簡単な説明】
【０００８】
【図１】本発明を適用したスイッチ装置の一実施形態の配置構成を示すもので、ダイヤフラムスイッチ及び指操作エリアの関係も併せて示した正面図である。
【図２】図１のキー配置のみを示した図である。
【図３】図１の中央縦断面図である。
【図４】実施形態２を示すもので、キートップ形状を示した中央縦断面図である。
【図５】実施形態３のスイッチ装置を示す正面図である。
【図６】図５の中央縦断面図である。
【図７】図５及び図６の決定キーのスライド構造を示す三面図である。
【図８】実施形態４のスイッチ装置を示す正面図である。
【発明を実施するための形態】
【０００９】
以下、図を参照して本発明を実施するための形態を詳細に説明する。
（実施形態１）
図１から図３は本発明を適用したスイッチ装置の一実施形態の配置構成としてダイヤフラムスイッチ及び指操作エリアの関係も併せて示したもので、１は筐体、２は上方向キー、３は下方向キー、４は左方向キー、５は右方向キー、６は決定キー、１１は基板、１２は上方向ダイヤフラムスイッチ、１３は下方向ダイヤフラムスイッチ、１４は左方向ダイヤフラムスイッチ、１５は右方向ダイヤフラムスイッチ、１６は決定ダイヤフラムスイッチである。
【００１０】
図示のように、筐体１には、上方向キー２と、下方向キー３と、左方向キー４と、右方向キー５と、決定キー６とからなるスイッチ装置が備えられており、このスイッチ装置は、左方向キー４及び右方向キー５を結ぶ線に対し上方に変位して決定キー６が配置されて、この決定キー６の上方に上方向キー２が近付けて配置された構成となっている。
【００１１】
すなわち、図２に示すように、下方向キー３、左方向キー４及び右方向キー５が配置される同一の円О上に決定キー６が配置されていて、この決定キー６の上方に近付けて上方向キー２が配置されている。
【００１２】
また、筐体１の内部の基板１１には、上方向キー２、下方向キー３、左方向キー４、右方向キー５及び決定キー６の押しボタン部に各々対応した直下位置に、上方向ダイヤフラムスイッチ１２、下方向ダイヤフラムスイッチ１３、左方向ダイヤフラムスイッチ１４、右方向ダイヤフラムスイッチ１５及び決定ダイヤフラムスイッチ１６がそれぞれ搭載されている。
【００１３】
なお、図１において、上方向キー２、下方向キー３、左方向キー４、右方向キー５及び決定キー６の押しボタン部の位置に各々対応して、円形の上方向キー指操作エリアＡ２、下方向キー指操作エリアＡ３、左方向キー指操作エリアＡ４、右方向キー指操作エリアＡ５及び決定キー指操作エリアＡ６がそれぞれ示されている。
【００１４】
以上の上方向キー指操作エリアＡ２、下方向キー指操作エリアＡ３、左方向キー指操作エリアＡ４、右方向キー指操作エリアＡ５及び決定キー指操作エリアＡ６は、図示のように、互いにオーバーラップしないようになっている。
【００１５】
以上、実施形態のスイッチ装置によれば、左方向キー４及び右方向キー５を結ぶ線に対し上方に変位して決定キー６を配置して、この決定キー６の上方に近付けて上方向キー２を配置したことで、横幅を小さくして各方向キー２・３・４・５と決定キー６を小型化しても、各方向キー２・３・４・５及び決定キー６を操作する場合、隣のキーを触れることがなく、視覚的にも違和感がない。
【００１６】
（実施形態２）
図４は実施形態２を示すもので、前述した実施形態１と同様、１は筐体、２は上方向キー、３は下方向キー、６は決定キー、１１は基板、１２は上方向ダイヤフラムスイッチ、１３は下方向ダイヤフラムスイッチ、１６は決定ダイヤフラムスイッチである。
【００１７】
実施形態２では、図示のように、下方向キー３と、この下方向キー３から上方に離間して配置された決定キー６の各キートップ形状と、この決定キー６の上方に近付けて配置された上方向キー２のキートップ形状とが、その曲面形状の傾き方向を異ならせた形状に形成されている。
【００１８】
このように、下方向キー３から上方に離間した決定キー６のキートップ形状と、この決定キー６の上方に近付けた上方向キー２のキートップ形状とを、その曲面形状の傾き方向を異ならせた形状にすれば、決定キー６とその上方に近付けた上方向キー２を視覚的、並びに触覚的にも差別化して、誤操作を防止できる。
【００１９】
（実施形態３）
図５及び図６は実施形態３のスイッチ装置を示すもので、前述した実施形態１と同様、１は筐体、２は上方向キー、３は下方向キー、４は左方向キー、５は右方向キー、６は決定キー、１１は基板、１２は上方向ダイヤフラムスイッチ、１３は下方向ダイヤフラムスイッチ、１６は決定ダイヤフラムスイッチであって、７はスライド溝、８は係止溝、９は係止突起である。
【００２０】
実施形態３では、図示のように、上方向キー２と下方向キー３の距離を大きく開けて、筐体１の上方向キー２と下方向キー３の間に縦方向のスライド溝７を形成して、このスライド溝７に決定キー６がスライド移動可能に組み付けられている。
【００２１】
すなわち、図示例においては、スライド溝７内の縦方向の両端部と中央部の三箇所に係止溝８が形成されて、図７に示すように、決定キー６の両側部に形成した係止突起９が、三箇所の係止溝８にそれぞれ係止可能となっている。
なお、図示しないが、係止突起９を係止溝８に係止した状態に保持するスプリング等の付勢手段が設けられている。
【００２２】
そして、基板１１上の上方向ダイヤフラムスイッチ１２と下方向ダイヤフラムスイッチ１３との間には、三箇所の係止溝８の位置に各々対応して、三個の決定ダイヤフラムスイッチ１６が離間して搭載されている。
【００２３】
このように、距離を大きく開けた上方向キー２と下方向キー３の間に形成した縦方向のスライド溝７に沿って決定キー６をスライドさせて、その縦方向のスライド溝７内の両端部と中央部の三箇所に形成した係止溝８の各々に、決定キー６の両側部に形成した係止突起９をそれぞれ係止させることで、縦方向の三箇所において、決定キー６の位置を変更して決定ダイヤフラムスイッチ１６をそれぞれ押すことができる。
【００２４】
従って、決定キー６を左方向キー４と右方向キー５を結ぶ線に対し上方に変位させて上方向キー２に近付けた配置としたり、決定キー６を左方向キー４と右方向キー５を結ぶ線に対し下方に変位させて下方向キー３に近付けた配置としたり、決定キー６の位置を任意に選択することができる。
【００２５】
また、図示例では、前述した実施形態２と同様に、下方向キー３から上方に離間した決定キー６のキートップ形状と、この決定キー６の上方に近付けた上方向キー２のキートップ形状とを、その曲面形状の傾き方向を異ならせた形状にしたり外形形状を異ならせたりして、決定キー６とその上方に近付けた上方向キー２を視覚的、並びに触覚的にも差別化して、誤操作を防止できるものとなっている。
【００２６】
（実施形態４）
図８は実施形態４のスイッチ装置を示すもので、前述した実施形態１と同様、２は上方向キー、３は下方向キー、４は左方向キー、５は右方向キー、６は決定キーである。
【００２７】
すなわち、実施形態４は、タッチパネルやキーボード等の各キーの位置及び機能の割付けが電気的に変更可能なスイッチ装置において、図示のように、左方向キー４及び右方向キー５の間で下方向キー３の上のキー位置の上のキー位置に決定キー６を割付けて、この決定キー６の上のキー位置に上方向キー２を割付けている。
【００２８】
このように、電気的に、左方向キー４及び右方向キー５の間のキー位置の上に決定キー６を割付けて、この決定キー６の上に上方向キー２を割付けてもよい。
【００２９】
（変形例）
以上の実施形態においては、横幅を小さくする場合について説明したが、縦幅を小さくする場合には、決定キーを上方向キーと下方向キーを結ぶ線に対し左右いずれか一方に変位させて左方向キーまたは右方向キーに近付けて配置すればよい。
また、実施形態では、ダイヤフラムスイッチとしたが、これに限らずスイッチ構造は任意である。
さらに、方向キー及び決定キーの形状等も任意であり、その他、具体的な細部構造等についても適宜に変更可能であることは勿論である。
【００３０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
上下左右に配置される四つの方向キーと、これら四つの方向キーで囲まれる範囲内に配置される決定キーと、を備えるスイッチ装置であって、
前記決定キーは、前記上下の方向キーを結ぶ線と前記左右の方向キーを結ぶ線の何れか一方の線上のみに位置することを特徴とするスイッチ装置。
＜請求項２＞
前記決定キーを、前記左右の方向キーを結ぶ線に対し上下の何れか一方に変位させて配置したことを特徴とする請求項１に記載のスイッチ装置。
＜請求項３＞
前記上下の方向キーのうち前記決定キーに近い方の方向キーを、前記決定キーと異形状に形成したことを特徴とする請求項２に記載のスイッチ装置。
＜請求項４＞
前記決定キーの位置が機械的に移動可能であることを特徴とする請求項１から３のいずれか一項に記載のスイッチ装置。
＜請求項５＞
前記方向キーと前記決定キーの位置及び機能の割付けが電気的に変更可能であることを特徴とする請求項１から３のいずれか一項に記載のスイッチ装置。
【符号の説明】
【００３１】
１  筐体
２  上方向キー
３  下方向キー
４  左方向キー
５  右方向キー
６  決定キー
７  スライド溝
８  係止溝
９  係止突起
１１  基板
１２  上方向ダイヤフラムスイッチ
１３  下方向ダイヤフラムスイッチ
１４  左方向ダイヤフラムスイッチ
１５  右方向ダイヤフラムスイッチ
１６  決定ダイヤフラムスイッチ
Ａ２  上方向キー指操作エリア
Ａ３  下方向キー指操作エリア
Ａ４  左方向キー指操作エリア
Ａ５  右方向キー指操作エリア
Ａ６  決定キー指操作エリア
【図１】
2012155915.tif 000003
【図２】
2012155915.tif 000004
【図３】
2012155915.tif 000005
【図４】
2012155915.tif 000006
【図５】
2012155915.tif 000007
【図６】
2012155915.tif 000008
【図７】
2012155915.tif 000009
【図８】
2012155915.tif 000010